(57)【要約】 【課題】  軸受箱の仕切り壁における溝と回転軸との隙間の調整を要することなく、油漏れを十分に防止する。  【解決手段】  回転軸１の外側に、潤滑油が供給されて回転軸１を回転自在に支持する軸受本体２，２が設けられている。この軸受本体２，２の外側には、軸方向両側部にそれぞれ回転軸１の周面に対向する溝を有する仕切り壁１３，１３が設けられた軸受箱１３が設けられる。この軸受箱１３の仕切り壁１３ａ，１３ａの外側に、さらに回転軸１の周面との隙間に対する油漏れ防止機能を有する遮蔽板４が着脱自在に取り付けられている。【選択図】  図１
2006153109.tif 000002
【特許請求の範囲】
【請求項１】
回転軸を回転自在に支持し、上記回転軸の支持面に潤滑油が供給される軸受本体と、この軸受本体をその外側から支持し、軸方向両側部にそれぞれ前記回転軸の周面に対向する油漏れ防止用の溝を有する仕切り壁が設けられた軸受箱と、この軸受箱の前記仕切り壁の外側に設けられ、前記回転軸の周面との隙間に対する油漏れ防止機能を有する遮蔽板とからなるすべり軸受装置。
【請求項２】
前記遮蔽板に、前記回転軸の周面に対向する位置に油漏れ防止用の溝が設けられるとともに、この溝と前記遮蔽板の内側とを連通する孔が設けられていることを特徴とする請求項１に記載のすべり軸受装置。
【発明の詳細な説明】
【技術分野】
【０００１】
本発明は、同期発電機等の回転機械に設けられるすべり軸受装置に係り、特にその油漏れ防止構造を改良したすべり軸受装置に関するものである。
【背景技術】
【０００２】
同期電動機等の回転機械においては、回転軸を回転自在に支持するために例えばすべり軸受装置が設けられている。すべり軸受装置は、軸受本体の回転軸支持面に潤滑油を供給して回転軸を支持させることにより、回転軸の回転を円滑に行わせるようにしている。
【０００３】
以下、従来のすべり軸受装置について図面を参照して説明する。図３は、従来のすべり軸受装置を示す断面図である。図３において、回転軸１の所定の位置に回転軸１を回転自在に支持する上下二分割の軸受本体２，２が設けられ、この軸受本体２，２を外側から支持するように筒状の軸受箱３が設けられている。軸受本体２，２は、軸受箱３内の下部に充填された潤滑油（図示せず）を掻き揚げたり、または軸受箱外部からの潤滑油供給などの供給手段を介して回転軸１を支持する面に潤滑油が供給されるようになっている。
【０００４】
軸受箱３の軸方向両側部には、それぞれ仕切り壁３ａ，３ａが設けられ、これら仕切り壁３ａ，３ａの回転軸１の周面に対向する内周縁部には、複数個の油漏れ防止用の溝３ｂが軸方向に間隔をおいて設けられており、さらにこれら複数個の溝３ｂ内に浸入した潤滑油を仕切り壁３ａの内側に戻すように、溝３ｂと仕切り壁３ｂ内とを連通する孔３ｃ，３ｃが設けられている。
【０００５】
このように構成されたすべり軸受装置は、軸受本体２，２により回転軸１を回転自在に支持する一方、軸受箱３内の潤滑油が回転軸１を伝って軸受箱３外へ漏れ出るのを、溝３ｂおよび孔３ｃを介して軸受箱３内に戻る作用を繰り返させることで防止している。
【発明の開示】
【発明が解決しようとする課題】
【０００６】
しかしながら、このようなすべり軸受装置は、機械加工により製作した軸受本体２，２や軸受箱３を組み合わせて寸法決めを行なっているので、組立後に仕切り壁３ａ，３ａの溝３ｂと回転軸１の周面との隙間が調整できない問題があり、溝３ｂと回転軸１の周面との隙間が大きくなっていると、油漏れ防止機能が十分に機能しないという問題が生じていた。
【０００７】
本発明は、このような問題点を解決するためになされたもので、軸受箱の仕切り壁における溝と回転軸の周面との隙間の調整を要することなく油漏れを十分に防止できるすべり軸受装置を提供することを目的とする。
【課題を解決するための手段】
【０００８】
上記の課題を解決するため本発明のすべり軸受装置は、回転軸を回転自在に支持し、回転軸の支持面に潤滑油が供給される軸受本体と、この軸受本体をその外側から支持し、軸方向両側部にそれぞれ回転軸の周面に対向する油漏れ防止用の溝を有する仕切り壁が設けられた軸受箱と、この軸受箱の仕切り壁の外側に設けられ、回転軸の周面との隙間に対する油漏れ防止機能を有する遮蔽板とから構成したことを特徴とする。
【発明の効果】
【０００９】
本発明によるすべり軸受装置によれば、軸受箱の仕切り壁の外側に、回転軸の周面との隙間の調整が可能な遮蔽板を設けたことによって、仕切り壁における油漏れ防止用の溝と回転軸の周面との隙間の調整を要することなく、信頼性の高い油漏れ防止構造を得ることができる。
【発明を実施するための最良の形態】
【００１０】
以下本発明の実施の形態を説明する。図１は本発明における第１の実施の形態にかかるすべり軸受装置を示す断面図である。図１において、回転軸１の所定の位置には、回転軸１を回転自在に支持する円筒状の軸受本体２，２が上下二分割の構成で設けられている。この軸受本体２，２の外側には、軸受本体２，２を外側から支持するように筒状の軸受箱１３が設けられている。軸受箱１３は、内部の下部に充填された潤滑油（図示せず）を掻き揚げたり、または軸受箱外部からの潤滑油供給などの供給手段を介して軸受本体２，２の回転軸１を支持する面に潤滑油を供給するようになっている。
【００１１】
軸受箱１３の軸方向両側部には、それぞれ仕切り壁１３ａ，１３ａが設けられており、この仕切り壁１３ａ，１３ａの外側面には、それぞれ軸方向に突出し環状に延びる突起１３ｄ，１３ｄが設けられている。また仕切り壁１３ａ，１３ａの回転軸１の周面に対向する内周縁部には、複数個の油漏れ防止用の溝１３ｂが軸方向に間隔をおき、周方向の全周にわたって設けられており、さらに仕切り壁１３ａ，１３ａの下部において、これら複数個の溝１３ｂ内に浸入した潤滑油を仕切り壁１３ａの内側に戻すように、溝１３ｂと仕切り壁１３ａ内とを連通する孔１３ｃ，１３ｃが設けられている。
【００１２】
仕切り壁１３ａ，１３ａの軸方向外側には、それぞれドーナッツ盤状の遮蔽板４，４が設けられている。この遮蔽板４，４は、仕切り壁１３ａ，１３ａの突起１３ｄ，１３ｄにネジ、ボルト等の締結具５により着脱自在に取り付けられており、遮蔽板４，４の取り付け孔の位置や大きさおよび内周縁部の径寸法等を適宜調整することによって、その内周縁部と回転軸１の周面との隙間が適切に調整できるようになっている。
【００１３】
また仕切り壁１３ａ，１３ａと遮蔽板４，４との間には、突起１３ｄ，１３ｄの突出高さにより油溜まり溝６，６が形成されており、仕切り壁１３ａ，１３ａの下部には、この油溜まり溝６，６から仕切り壁１３ａ，１３ａの内側に潤滑油を戻す複数個の孔１３ｅ，１３ｅが形成されている。
【００１４】
このように構成したすべり軸受装置においては、軸受本体２，２や軸受箱１３を組立てた後に遮蔽板４，４を設けることができ、しかも遮蔽板４，４は、締結具５により軸受箱１３の仕切り壁１３ａ，１３ａに着脱自在に取り付けられるので、回転軸１の周面との隙間が適切になるように仕切り壁１３ａ，１３ａに調整して設けることができ、仕切り壁１３ａ，１３ａの油漏れ防止用の溝１３ｂ，１３ｂにより防止できなかった油漏れを遮蔽板４，４により防止することが可能となる。
【００１５】
また油溜まり溝６，６に溜まった潤滑油は、仕切り壁１３ａ，１３ａに設けられた孔１３ｅ，１３ｅを介して仕切り壁１３ａ，１３ａの内側に戻されるので、潤滑油が遮蔽板４，４より外側に溢れ出ることはない。
【００１６】
したがって本実施の形態によれば、軸受箱１３の仕切り壁１３ａ，１３ａにおける油漏れ防止用の溝１３ｂ，１３ｂと回転軸１の周面との隙間の調整を要することなく、軸受装置の油漏れを十分に防止することができ、その信頼性を高めることができる。
【００１７】
図２は本発明における第２の実施の形態にかかるすべり軸受装置を示す断面図である。本実施の形態が第１の実施の形態と異なる点は、遮蔽板１４，１４に油漏れ防止用の溝１４ｂ，１４ｂおよび孔１４ｃ，１４ｃを設けたところにある。ドーナッツ盤状の遮蔽板１４，１４は、内周縁部に複数個の油漏れ防止用の溝１４ｂ，１４ｂが形成され、この溝１４ｂ，１４ｂに浸入した潤滑油を油溜まり溝６へ戻す孔１４ｃ，１４ｃが形成されている。
【００１８】
このような遮蔽板１４，１４を設けることにより、第１の実施の形態と同様に油漏れ防止効果が得られるほか、遮蔽板１４，１４の内周縁部に潤滑油が浸入する場合があっても、内周縁部の溝１４ｂ，１４ｂから孔１４ｃ，１４ｃを介して油溜まり溝６に戻すことができ、また油溜まり溝６に溜まった潤滑油は、孔１３ｅ，１３ｅを介して仕切り壁１３ａ，１３ａの内側の軸受箱１３内に戻されるので、遮蔽板１４，１４による油漏れ防止効果をさらに高めることができる。
【００１９】
なお、上記各実施の形態における油漏れ防止用の溝および油戻り用の孔は、その深さ寸法や形状、孔径寸法、傾斜角度、個数等を任意に設定できるものである。
【図面の簡単な説明】
【００２０】
【図１】本発明における第１の実施の形態にかかるすべり軸受装置を示す断面図である。
【図２】本発明における第２の実施の形態にかかるすべり軸受装置を示す断面図である。
【図３】従来のすべり軸受装置を示す断面図である。
【符号の説明】
【００２１】
１…回転軸
２…軸受本体
３，１３…軸受箱
３ａ，１３ａ…仕切り壁
３ｂ，１３ｂ，１４ｂ…溝
３ｃ，１３ｃ，１３ｅ，１４ｃ…孔
４，１４…遮蔽板
５…締結具
６…油溜まり溝
１３ｄ…突起
【図１】
2006153109.tif 000003
【図２】
2006153109.tif 000004
【図３】
2006153109.tif 000005